(57)【特許請求の範囲】
【請求項１】
パネル基部の裏面と、アンダーラップ部とが、相互に厚さ方向に重ね合わせて取り付けられる壁パネルにおいて、
パネル上辺のアンダーラップ部の一端に配置され、表面が該アンダーラップ部の他端よりパネル裏面側に後退した第一レベル端部と、
パネル上辺のアンダーラップ部の他端に配置され、前記第一レベル端部と重ねられうる、表面がパネル側辺のアンダーラップ部の下側先端よりパネル裏面側に後退した第二レベル端部と、
パネル側辺のアンダーラップ部の下側先端に配置され、前記第二レベル端部と重ねられうる第三レベル端部とを有し、
前記第一レベル端部と第二レベル端部とからなる後退部分の幅は、少なくとも前記第三レベル端部の幅よりも広く形成したことを特徴とする壁パネル。
【請求項２】
パネル上辺のアンダーラップ部において、前記第三レベル端部よりも幅が広く、かつ表面が前記第三レベル端部よりパネル裏面側に後退した凹部を形成したことを特徴とする請求項１記載の壁パネル。
【請求項３】
前記アンダーラップ部に、水返しが一体的に設けられたことを特徴とする請求項１記載の壁パネル。
【請求項４】
請求項１乃至請求項３のいずれか１項に記載の壁パネルを用いて、パネル基部の裏面とアンダーラップ部とを相互に厚さ方向に重ね合わせて取り付けられる壁パネルの重ね合わせ構造において、
パネル上辺のアンダーラップ部の一端に配置され、表面が該アンダーラップ部の他端よりパネル裏面側に後退した第一レベル端部と、
パネル上辺のアンダーラップ部の他端に配置された第二レベル端部を前記第一レベル端部と重ね、
パネル側辺のアンダーラップ部の下側先端に配置した第三レベル端部を、前記第二レベル端部と重ね合わせてなることを特徴とする壁パネルの重ね合わせ構造。
【発明の詳細な説明】
【０００１】
【発明の属する技術分野】
本発明は、建物の壁パネルに関し、パネル基部の裏面と、アンダーラップ部とが、相互に厚さ方向に重ね合わせて取り付けられる壁パネルに関するものである。
【０００２】
【従来の技術】
従来の建物の外壁面を形成する外装材パネル及びその重ね合わせ構造の一例について説明する。図20(a)は隣設される壁パネル51の縦目地58の位置を一致させてブロック積み状に組み合わせたものであり、図20(b)は隣設される壁パネル51の縦目地58を互い違いに配置してレンガ積み状に組み合わせたものである。図20(a)、(b)に示すように、壁パネル51は、該壁パネル51の４辺のうち、一方の２辺に壁パネル51の裏面側端辺に突出した裏実51ａ（うらざね）が形成され、他方の２辺に壁パネル51の表面側端辺に突出した表実51ｂ（おもてざね）が形成されている。
【０００３】
上記パネルを建物に取り付ける際には、まず所定のピッチで立設された柱52及び間柱53に防水シート54を介して胴縁55が取り付けられる。胴縁55は通気層を形成する役割と、場合によりパネルを固定する役割を兼ねている。次に隣接される一方の壁パネル51の裏実51ａと、他方の壁パネル51の表実51ｂとが壁パネル51の厚さ方向に接合された状態で、下段の壁パネル51を固定する。そして上段の壁パネル51の表実51ｂと、下段の壁パネル51の裏実51ａとが壁パネル51の厚さ方向に接合された状態で、上段の壁パネル51を固定する。また壁パネル51の裏実51ａの縁辺にはホットメルトと称する樹脂系の水返し材が取り付けられており、これにより止水性能が確保される。
【０００４】
しかしながら上記従来の構成にあっては、裏実51ａは壁パネル51の表面から室内側に向けての距離が同じであるため、複数の壁パネル51を取り付けていくと裏実51ａ同士の突当部60（図20参照）が形成される。その突当部60においては縦目地58、横目地59からの浸入水を止めることができず、室内側へ漏水するおそれがあった。
【０００５】
また、壁パネル51の裏面側に通気層を形成するために別部材で胴縁55を介在させていたため、該胴縁55が柱52や間柱53の全数に対応して高さ方向全域に必要であった。このため部品点数が増加して部品コストが増大し、施工工数も増大するため工期が長くなるという問題があった。また胴縁55は長尺状の一部材で柱52や間柱53に沿って取り付けられ、通気層が高さ方向に仕切られて形成されるため、横方向（水平方向）の通気性能に限界があった。
【０００６】
また、壁パネル51の上辺の裏実51ａの上端部横方向に設けられた水返し材であるホットメルトが樹脂系の材料であるため、セメント等の窯業系材料からなる壁パネル51に対しては後工程で取り付ける他なく、壁パネル51の生産効率が悪いという問題があった。
【０００７】
これに対し本願出願人は、先に出願した特願2001-191537において、図21(a)に示す壁パネルの発明を開示している。当該出願によれば、壁パネル70は上辺アンダーラップ71及び側辺アンダーラップ72を有し、上辺アンダーラップ71の一端に段差部73及び段差壁面構成部74ａ、他端に段差壁面構成部74ｂを設けている。そして側辺アンダーラップ72の下側先端部72ａは該側辺アンダーラップ72の他の部位より幅を狭く形成し、壁パネル70を横方向に隣接して形成される段差部73に下側先端部72ａを重ね合わせるよう構成している。
【０００８】
これにより図21(b)に示すように、突当部を形成することなくパネルを接合し、また段差部73、下側先端部72ａ、及びさらに重なるパネル基部とあわせて３ラップ構造を形成することにより止水性能を大幅に向上させようとしたものである。また段差部73がパネル基部の裏面側に突出することにより、胴縁を用いずに通気層を形成しようとしたものである。
【０００９】
【発明が解決しようとする課題】
しかし、上記特願2001-191537にかかる構成にあっても、図21(b)に示すように側辺アンダーラップ72を伝って降りてきた水が段差部73の裏側に回ってしまう場合があり、止水性能が必ずしも完全でなかった。
【００１０】
また図22(a)に示すように、壁パネル51内側の間柱53の間には、保温、断熱のために、グラスウールやロックウールなどの繊維系断熱材66が充填される。しかし図22(b)に示すように、間柱53に内装用の横銅縁67を組み込み、これに内装材68が取り付けられると図22(c)に示すように、横銅縁67によって繊維系断熱材66が押されて、胴縁55によって形成した通気層65に向かって膨出する。このため通気層が繊維系断熱材66によって狭められてしまい、通気性能を低下させるという問題があった。
【００１１】
そこで本発明は、壁パネル同士の目地部にシーリング材等を充填することなく風雨の侵入を防止できる乾式施工とすることができ、胴縁を用いることなく通気層を構成することが可能であり、部品点数及び施工工数を削減できる壁パネルを提供することを目的としている。
【００１２】
【課題を解決するための手段】
上記課題を解決するために、本発明に係る壁パネルは、パネル基部の裏面と、アンダーラップ部とが、相互に厚さ方向に重ね合わせて取り付けられる壁パネルにおいて、パネル上辺のアンダーラップ部の一端に配置され、表面が該アンダーラップ部の他端よりパネル裏面側に後退した第一レベル端部と、パネル上辺のアンダーラップ部の他端に配置され、前記第一レベル端部と重ねられうる、表面がパネル側辺のアンダーラップ部の下側先端よりパネル裏面側に後退した第二レベル端部と、パネル側辺のアンダーラップ部の下側先端に配置され、前記第二レベル端部と重ねられうる第三レベル端部とを有し、前記第一レベル端部と第二レベル端部とからなる後退部分の幅は、少なくとも前記第三レベル端部の幅よりも広く形成したことを特徴とする。
【００１３】
ここで、パネル上辺及び側辺の一方に設けられたアンダーラップ部の表面は、パネル基部の裏面よりもパネル裏面側に配置されている。そして上記第一レベル端部の表面は第二レベル端部の裏面よりもパネル裏面側に後退しており、第二レベル端部の表面は第三レベル端部の裏面よりもパネル裏面側に後退している。また、第一レベル端部と第二レベル端部とからなる後退部分の幅を、少なくとも第三レベル端部の幅よりも広く形成したことにより、後退部分に第三レベル端部を収容して嵌め込むことができる。
【００１４】
このように構成したことにより、隣接する一方の壁パネルのパネル基部の裏面と、他方の壁パネルのアンダーラップ部とが該壁パネルの厚さ方向に重ね合わせて取り付けられるので、壁パネル同士の目地部にシーリング材等を充填することなく風雨の侵入を防止できる乾式施工とすることができ、施工が容易で施工期間が短縮できる。すなわち、パネル上辺のアンダーラップ部の両端にそれぞれ配置された第一レベル端部と第二レベル端部とは重ね合わせて取り付けられるので、従来例のようなアンダーラップ部の突き当て部からの浸水を防止することができる。また、パネル側辺のアンダーラップ部の下側先端の第三レベル端部を第一レベル端部と第二レベル端部とからなる後退部分に重ね合わせることにより、さらに重なるパネル基部とあわせて４ラップ構造となるため、乾式であっても確実に浸水を防止しうる。
【００１５】
このとき第二レベル端部により第三レベル端部の位置規制ができ、隣接するパネル基部の表面相互を面一に構成することができる。これにより、前記壁パネルのパネル基部の裏面とアンダーラップ部とを相互に壁パネルの厚さ方向に重ね合わせた際に隣接されたパネル基部表面相互を面一で構成でき、平面的なパネル構造とすることができる。
【００１６】
また、重ねられた第一レベル端部及び第二レベル端部をあわせてパネル取付金具によって押圧することで、横方向に隣設される壁パネル相互の上端部を同時に係止することができる。ここで第一レベル端部の第二レベル端部と重ならない部分に、該第二レベル端部と略面一となる第四レベル部を形成することにより、隣接される両側の壁パネルをより安定して押圧、係止することができる。
【００１７】
また、パネル側辺のアンダーラップ部は第三レベル端部まで略同一幅とすることが好ましく、パネル上辺のアンダーラップ部の第二レベル端部はパネル基部の側面から突出していてもよいが略面一に形成することが好ましい。
【００１８】
また、パネル上辺のアンダーラップ部において、端部以外の部分に１つ若しくは複数、又は全幅に渡って、少なくとも第三レベル端部よりも幅が広く、かつ表面が第三レベル端部よりパネル裏面側に後退した凹部を形成することにより、凹部にも第三レベル端部を収容することができる。これにより隣接する上下段の壁パネルの相対的な配置をずらすことができる。なお、第一レベル端部と第二レベル端部とからなる後退部分と、前記端部以外の部分に１つ若しくは複数設けられた凹部とが略同形状であることにより、壁パネルの外観上の統一を図ることができる。
【００１９】
また、パネル側辺のアンダーラップ部の下側先端の第三レベル端部は、第一レベル端部と第二レベル端部とからなる後退部分に収容して嵌め込んだ際にパネル上辺のアンダーラップ部裏面側に後退するように構成してもよいが、略面一になるように構成することが好ましい。
【００２０】
また、第一レベル端部及び凹部の裏面は、パネル上辺アンダーラップの裏面よりもパネル裏面側に突出することから、壁パネルと下地材との間に通気層を容易に形成することができる。同様に、アンダーラップ部あるいはパネル基部の裏面に凸部を設けることにより、さらに安定して通気層を形成することができる。これにより、胴縁を取り付けなくても下地材の表面とアンダーラップ部裏面との間に通気層を形成することができるため、下地材に直接壁パネルを固定することができ、胴縁を省略して部品点数及び施工工数を削減し、施工期間を短縮することができる。
【００２１】
また、前記壁パネルのアンダーラップ部に水返しが一体的に設けられた場合には、壁パネルの製造工程で同時に水返しが形成されるので生産効率がよい。
【００２２】
また、前記壁パネルのパネル基部の上面は排水が可能な傾斜面により形成された場合には、該傾斜面を利用して壁パネルの屋外側に排水ができる。
【００２３】
また、前記壁パネルのパネル基部の下面にパネル取付金具に係合する凹溝を形成した場合には、該凹溝にパネル取付金具を係合して壁パネルを取り付けることができる。
【００２４】
また、パネル基部の裏面とアンダーラップ部とを相互に壁パネルの厚さ方向に重ね合わせた際に、前記第二レベル端部又は凹部と、パネル側辺のアンダーラップ部の裏面との間に所定の間隙を有する場合には、パネル取付金具によって係合した下段のパネル基部表面と、該金具の上から係合した上段のパネル基部表面とを面一で構成することができる。
【００２５】
また、本発明に係る壁パネルの重ね合わせ構造は、前述の壁パネルを用いてパネル基部の裏面とアンダーラップ部とを相互に厚さ方向に重ね合わせて取り付けられる壁パネルの重ね合わせ構造において、パネル上辺のアンダーラップ部の一端に配置され、表面が該アンダーラップ部の他端よりパネル裏面側に後退した第一レベル端部と、パネル上辺のアンダーラップ部の他端に配置された第二レベル端部を前記第一レベル端部と重ね、パネル側辺のアンダーラップ部の下側先端に配置した第三レベル端部を、前記第二レベル端部と重ね合わせてなることを特徴とする。上記構成によれば、互いに重ね合わされた壁パネルの縦横の目地部にシーリングをすることなく防水性能を確保することができるため、シーリング作業を省略することができ、作業性が良く、乾式工法とすることができるため施工期間の短縮を図ることができる。
【００２６】
また、本発明に係る壁パネルの重ね合わせ構造は、壁パネル同士の目地部から進入した水を該壁パネルのアンダーラップ部により受けて屋内側への進入を防止し、アンダーラップ部に巡回させて屋外側に排水することができる。
【００２７】
【発明の実施の形態】
本発明に係る壁パネル及びその重ね合わせ構造の実施形態について、図を用いて説明する。まず壁パネルの構成について説明し、次に壁パネルの重ね合わせ構造について説明する。
【００２８】
（壁パネルの構成）
図１は本発明に係る壁パネルの構成を示す斜視説明図、図２は壁パネルの断面概略図及び重なり状態を示す図、図３は左右に隣接する壁パネル相互を接合する様子を示す斜視説明図、図４は上下に隣接する壁パネル相互を接合する様子を示す斜視説明図、図５は壁パネルのアンダーラップ部に一体的に設けられた水返しの構成を示す断面説明図、図６はパネル取付金具により壁パネルを取り付けた様子を示す断面説明図、図７は段差部に取り付けられるパネル取付金具の構成を説明する図、図８は段差部に取り付けられるパネル取付金具により壁パネルを下地材に固定する様子を示す斜視説明図、図９は段差部以外の部位に取り付けられるパネル取付金具の構成を説明する図、図10は段差部以外の部位に取り付けられるパネル取付金具により壁パネルを下地材に固定する様子を示す斜視説明図である。
【００２９】
図１に示す壁パネル１は、上下及び左右に配列されて建物の外壁面を構成するものである。壁パネル１は、セメント材やコンクリート材、或いは陶板材等の窯業系材料からなり、例えば粘土状のセメント材料をプレス成形により工場生産される。
【００３０】
壁パネル１は、パネル基部１ａと、上辺アンダーラップ1b1と右辺アンダーラップ1b2とからなるアンダーラップ部１ｂを有している。アンダーラップ部１ｂの表面はパネル基部１ａの裏面1a1よりも壁パネルの裏面側に配置され、複数の壁パネル１を上下左右に接合した場合には、これらパネル基部１ａとアンダーラップ部１ｂが厚さ方向に重なり合わされる。なお右辺アンダーラップ1b2は壁パネル側面として右側面に配置したものであるが、アンダーラップを左側面に設け、後述する他の構成を左右対称とすることでもよい。
【００３１】
上辺アンダーラップ1b1の右辺アンダーラップ1b2と重複する端部には、表面が上辺アンダーラップ1b1の他端の裏面よりパネル裏面側に後退した第一レベル端部１ｃが形成されている。また上辺アンダーラップ1b1の他端には、表面が右辺アンダーラップ1b2の下側先端に配置された第三レベル端部1b21の裏面より、パネル裏面側に後退した第二レベル端部１ｄを有している。
【００３２】
図３(a)に示すように横方向に壁パネル１を隣接する際には、図３(b)に示すように固定された一方の壁パネル１の上辺アンダーラップ1b1の第一レベル端部１ｃ上に他方の壁パネル１の第二レベル端部１ｄの左端部を重ね合わせると共に、固定された一方の壁パネル１の右辺アンダーラップ1b2上に重ね合わされる他方の壁パネル１のパネル基部１ａの裏面1a1を重ね合わせる。
【００３３】
第一レベル端部１ｃは、上辺アンダーラップ1b1と右辺アンダーラップ1b2の重複部分を含み、さらにパネル基部１ａの上方側に延長されている。上辺アンダーラップ1b1の第二レベル端部１ｄを有する端部は、パネル基部１ａの側面と略面一か、又は突出して形成している。十分な重なり部分をとることにより、後述する止水性能を確保するためである。
【００３４】
そして第一レベル端部１ｃには、第二レベル端部１ｄと重ならない部分に、壁パネル１を左右に接合した場合に第二レベル端部１ｄと略面一となる第四レベル部1c1を有している。なお第四レベル部1c1は、第二レベル端部１ｄと重ならないために、これに準じた寸法の幅に形成している。これにより壁パネル１の取り付けの際の作業性を向上し、また第二レベル端部１ｄとの外観上の統一も得ることができるため好適である。
【００３５】
また第四レベル部1c1、第二レベル端部１ｄの表面は、上辺アンダーラップ1b1の表面からそれぞれ段差部1c11、1d1を有してパネル裏面側に後退している。従って第一レベル端部１ｃと第二レベル端部１ｄとを重ねると、段差部1c11と段差部1d1とが対向し、その表面が面一にされる。また同時に、左右に隣接したパネル基部１ａの表面も、相互に面一にされる。さらに段差部1c11と段差部1d1は横目地７より上に位置されており、これにより横目地７から第四レベル部1c1、第二レベル端部１ｄのくぼみが見えることを防止し、設置後の外観を良好とすることができる。
【００３６】
このように複数の壁パネル１を左右に接合した場合には、図３(b)に示すように、第一レベル端部１ｃの前に第二レベル端部１ｄが厚さ方向に重なり、第一レベル端部１ｃと第二レベル端部１ｄとからなる後退部分Ｗが形成される。
【００３７】
後退部分Ｗは第三レベル端部1b21よりも広い幅に形成されており、上段に隣接される壁パネル１の第三レベル端部1b21を収容可能に構成されている。従って縦目地６と横目地７の交差部においては、第一レベル端部１ｃ、第二レベル端部１ｄの前に第三レベル端部1b21が重なり、さらに重なるパネル基部とあわせて４ラップ構造を構成する。
【００３８】
ここで右辺アンダーラップ1b2は、上端の第一レベル端部１ｃから第三レベル端部1b21までの全長に渡って、略同一幅に形成している。また、右辺アンダーラップ1b2と第一レベル端部１ｃとは、傾斜部1b22を介して連続して接続されている。
【００３９】
上辺アンダーラップ1b1の横方向略中央部には、第三レベル端部1b21よりも幅が広く、かつ表面が該第三レベル端部1b21の裏面よりパネル裏面側に後退した凹部１ｅを形成している。凹部１ｅは、本実施形態においては、第二レベル端部１ｄと略面一に形成している。なお本実施形態においては、後退部分Ｗと凹部１ｅとを略同形状に形成し、外観上及び取付け方法の統一を図っている。これにより、凹部１ｅにも第三レベル端部1b21を収容することができ、隣接する上下段の壁パネルの相対的な配置をずらすことができる。
【００４０】
凹部１ｅの表面は、上辺アンダーラップ1b1の表面から段差部1e1を有してパネル裏面側に後退している。段差部1e1は第四レベル部1c1、第二レベル端部１ｄの有する段差部1c11、1d1と同様の高さに形成されている。
【００４１】
上記構成により、図４に示すように、後退部分Ｗ、凹部１ｅのいずれにも、上段の壁パネル１の第三レベル端部1b21を収容することができる。すなわち、高さ方向に壁パネル１を隣設する際には、図４(a)に示すように、固定された下段の壁パネル１の上辺アンダーラップ1b1に形成された後退部分Ｗ、若しくは凹部１ｅに、後接合される上段の壁パネル１の第三レベル端部1b21を重ね合わせることができる。
【００４２】
このとき図４(b)、(c)に示すように、上辺アンダーラップ1b1と、及び第三レベル端部1b21を有する右辺アンダーラップ1b2との相互の部位では、該アンダーラップ1b1、1b2相互の表面が略面一で構成される。また同時に、後退部分Ｗ、凹部１ｅにより第三レベル端部1b21の位置規制がされるため、隣接するパネル基部１ａの表面相互を面一に構成することができる。
【００４３】
第一レベル端部１ｃ及び凹部１ｅの裏側は、上辺アンダーラップ1b1の裏面よりも、下地材側（屋内側）に所定の寸法だけ突出している。また上辺アンダーラップ1b1の背面には、所定の間隔にて複数の凸部１ｐを設けている。これら第一レベル端部１ｃ、凹部１ｅ、凸部１ｐが、上辺アンダーラップ1b1と下地材となる柱４や間柱５との間に10mm以上の離間間隔を形成しうるようにその突出高さが設定されている。これにより、後述するように、パネル基部１ａの裏面側に垂直及び水平方向に連通して通気層を形成することができる。
【００４４】
図５に示すように、壁パネル１の上辺アンダーラップ1b1と右辺アンダーラップ1b2には、アンダーラップ部１ｂ全域に亘って方形状の水返し11が一体的に形成されている。図５(a)は一条の水返し11が上辺アンダーラップ1b1の上端部に形成された一例であり、図５(b)は２条の水返し11が並設された一例を示す。水返し11を２重に設けることで防波堤の効果を更に向上することができる。尚、水返し11の外形や条数は他の形状或いは他の複数条形成されたものでもよい。
【００４５】
前記各水返し11は壁パネル１の製造時に該壁パネル１と一体的に成形されるものであり、予め型枠に水返し11の形状に応じた部分が形成されている。このような型枠を用いて粘土状のセメント材料をプレス成形することにより、アンダーラップ部１ｂに水返し11が形成された壁パネル１が工場生産され、壁パネル１の製造工程で同時に水返し11が形成されるので壁パネル１の生産効率がよい。
【００４６】
図６に示すように、壁パネル１のパネル基部１ａの下面にはパネル取付金具15に係合する凹部１ｆが形成されている。また、該凹部１ｆのパネル基部１ａの裏面1a1側はパネル取付金具15の板厚に応じた溝１ｍが形成されている。同様に、第二レベル端部１ｄと、右辺アンダーラップ1b2の裏面との間には、パネル取付金具が介在するための所定の間隙を有している。これにより、パネル取付金具15と上部壁パネル１とが高さ方向で干渉することがなく、横目地７に不陸を生じることなく、パネル取付金具15によって係合した下段のパネル基部表面と、該金具15の上から係合した上段のパネル基部表面とを面一で構成することができる。
【００４７】
パネル取付金具15は、図７に示すように、壁パネル１の上辺アンダーラップ1b1の形状に応じてクランク状に形成されており、その先端部に設けられた係止部15ａが壁パネル１のパネル基部１ａの下面に形成された凹部１ｆに挿入されて係合し、上段の壁パネル１の下端部を係止する。また、パネル取付金具15の柱４や間柱５等の下地材に固定される側の垂直方向の固定片15ｂは、それに接続される水平片15ｃとの間の角度βが90°よりも大きな値（180°よりも小さい）で設定されており、図８に示すように、後退部分Ｗ、凹部１ｅにパネル取付金具15を装着して、固定片15ｂに釘やビス３を打ちつけて柱４や間柱５等の下地材に固定することで、図６(a)に示すように、パネル取付金具15の垂下片15ｄにより壁パネル１の上端部を押圧して係止する。
【００４８】
また、上辺アンダーラップ1b1における後退部分Ｗ、凹部１ｅ以外の部位に柱４や間柱５等の下地材が配置された場合には、図９に示すパネル取付金具15を用いて、図10に示すように、後退部分Ｗ、凹部１ｅ以外の上辺アンダーラップ1b1の部位にパネル取付金具15を装着し、柱４や間柱５等の下地材と後退部分Ｗ、凹部１ｅ以外の上辺アンダーラップ1b1の裏面との間に緩衝材16を介在させて、固定片15ｂに釘やビス３を打ちつけて柱４や間柱５等の下地材に固定することで、パネル取付金具15の垂下片15ｄにより壁パネル１の上端部を押圧して係止する。
【００４９】
このとき図10(b)に示すように、上辺アンダーラップ1b1の裏面に凸部１ｐを所定の間隔にて複数設けたことにより、後退部分Ｗ、凹部１ｅ以外の上辺アンダーラップ1b1の部位であっても、パネル取付金具15によって柱４、間柱５に押圧して係止することができる。これにより柱４、間柱５に対する壁パネル１の配置に自由度を増すことができる。
【００５０】
なお本実施形態では、図７(a)及び図９(a)に示すように、パネル取付金具15の固定片15ｂにその長手方向がパネル幅方向に配置された長穴15ｆが形成されている。これにより実際の施工時において柱４や間柱５等の下地材のパネル幅方向の中心位置にずれが生じた場合であっても、長穴15ｆの範囲内で釘やビス３の固定位置を調整して、柱４や間柱５等の下地材のパネル幅方向の中心位置に釘やビス３を打ち込んで壁パネル１を固定することができる。
【００５１】
（壁パネルの重ね合わせ構造）
次に上記壁パネル１を用いて建物の外壁面を構成する重ね合わせ構造について説明する。図11は本発明に係る壁パネルの重ね合わせ構造を示す斜視説明図、図12は本発明に係る壁パネルの他の重ね合わせ構造を示す斜視説明図、図13は本発明に係る壁パネルの重ね合わせ構造により形成された通気層の構成を示す斜視説明図、図14は壁パネル及び内装材に関する重ね合わせ構造の説明図、図15は雨水の巡回経路を説明する斜視説明図、図16は雨水の巡回経路を説明する部分拡大図、図17は最下段の壁パネルの下部に設けた排水手段により排水される様子を示す断面説明図である。
【００５２】
先ず、図11及び図12に示すように、所定のピッチで立設された柱４及び間柱５に防水シート２を展張し、最下段に設けられた図示しない取付金物の係止部にパネル基部１ａ下面の凹溝１ｆを係合させ、図８及び図10に示すように、後退部分Ｗ、凹部１ｅ或いはそれ以外の上辺アンダーラップ1b1に夫々のパネル取付金具15を装着して、固定片15ｂを介して釘やビス３を柱４や間柱５等の下地材に打ち込んで固定する。
【００５３】
このとき、前述したように、後退部分Ｗ、凹部１ｅのいずれにも、上段の壁パネル１の第三レベル端部1b21を重ね合わせることができる（図４参照）。従って、図11に示すように壁パネル１の縦目地６を互い違いに配置したレンガ組合せ状とするか、若しくは図12に示すように壁パネル１の縦目地６を一致させて配置したブロック組合せ状として、パネル基部１ａの表面を連続的に面一に接合して全体的に平面的な外壁面を容易に形成することができる。互いに重ね合わされた壁パネル１の縦横の目地部である縦目地６及び横目地７には、特にシーリング材等によるシーリングは施さない。
【００５４】
また前述した如く、第一レベル端部１ｃ、凹部１ｅ、凸部１ｐが、上辺アンダーラップ1b1裏面と下地材となる柱４や間柱５との間に10mm以上の離間間隔を形成しうるようにその突出高さが設定されており、各壁パネル１はこれらの部位で柱４や間柱５に対して固定されている。すなわち各壁パネル１のアンダーラップ部１ｂは上辺アンダーラップ1b1の後退部分Ｗ、凹部１ｅ、凸部１ｐ以外の部分では、防水シート２の表面から10mm以上の所定の距離だけ離間間隔を形成した状態で固定されている。
【００５５】
また図14に示すように、凸部１ｐを複数設けたことにより、間柱５の屋内側に内装材68を取り付けるための横銅縁67を組み付けたとしても、通気層65に膨出しようとする繊維系断熱材66を抑えることができ、通気層を確保することができる。
【００５６】
従って、図13に矢印にて示すように、防水シート２とアンダーラップ部１ｂの裏面との間に通気層が縦横連続した状態で形成され、建物が室内から放つ湿気等に対して前述した従来例よりも多くの方向性を有する通気層が確保され、通気性能を向上させて壁パネル１や建物の耐久性を向上することができる。また、前述した従来例のように胴縁55を必要としないので、部品点数を削減して部品コストを低減し、施工工数を削減して工期を短縮することができる。
【００５７】
図11に示すように、最下段の壁パネル１′の屋内側から下部に向かって、該壁パネル１′屋外側に排水可能な排水手段となる土台水切り部材12が配置されている。土台水切り部材12は断面Ｚ形状を有して外壁面の水平方向の全幅に亘って柱４や間柱５、或いは建物の布基礎13の上部に配置された基礎梁14に固定されている。
【００５８】
一方、壁パネル１のパネル基部１ａの上面は、図16(d)に示すように排水が可能な傾斜面１ｇが形成されている。傾斜面１ｇは水平面に対して傾斜角度αを有しており、壁パネル１のアンダーラップ部１ｂに巡回している雨水を傾斜面１ｇを介して壁パネル１の屋外側に排水ができるようになっている。
【００５９】
図15は互いに重ね合わされた壁パネル１の縦横の目地部となる縦目地６及び横目地７から進入した雨水が壁パネル１のアンダーラップ部１ｂにおいて巡回する巡回経路及び排水経路を全体的に示したものである。図15に示すように、壁パネル１同士を重ね合わせた目地部となる縦目地６及び横目地７から雨水が進入した場合、進入した雨水を壁パネル１のアンダーラップ部１ｂにより受けて屋内側への進入を防止して、更に図16及び図17に示すように、その雨水を他の壁パネル１のアンダーラップ部１ｂに巡回させて屋外側に排水するようになっている。
【００６０】
即ち、壁パネル１相互の目地部である横目地７から進入した雨水は、図16(d)に示す傾斜面１ｇを介して下段の壁パネル１の表面に排水されるか、若しくは、図16(a)に示すように、上辺アンダーラップ1b1に沿って該上辺アンダーラップ1b1の左右方向に巡回して流れ、上辺アンダーラップ1b1に形成された後退部分Ｗから傾斜部1b22、右辺アンダーラップ1b2の経路を伝わって流れる。アンダーラップ部１ｂの右辺アンダーラップ1b2まで伝わった雨水は、図16(b)、(c)に示すように、更にその下方の壁パネル１の上辺アンダーラップ1b1に着水し、傾斜面１ｇを介して下段の壁パネル１のパネル基部１ａの表面に排水されるか、若しくは、前述と同様の経路を伝わって更にその下段の壁パネル１のアンダーラップ部１ｂに巡回する。これを繰り返して最終的には、図17に示すように、建物の基礎部において最下段の壁パネル１′の下部に設けられた土台水切り部材12に着水し、該土台水切り部材12を介して壁パネル１の屋外側に排水される。
【００６１】
このように、壁パネル１の縦横の目地部となる縦目地６及び横目地７から進入した雨水を壁パネル１のアンダーラップ部１ｂにおいて巡回及び排水することができる構成としたことで、建物の屋内側への漏水を確実に防止することができ、目地部にシーリングをする作業工程を省略することができるので乾式工法とすることができ、施工が容易で且つ確実に且つ一様にでき、施工期間を大幅に短縮することができる。
【００６２】
特に縦目地６と横目地７の交差部において第一レベル端部１ｃ、第二レベル端部１ｄ、上段の壁パネル１の第三レベル端部1b21、上段の壁パネル１のパネル基部の４ラップ構造とできるため、図20に示して前述した従来例のように裏実51ａ同士の突当部60が形成されることがなく、乾式であっても屋内側への漏水を確実に防止することができる。
【００６３】
また、隣接する一方の壁パネル１のパネル基部１ａの裏面1a1と、他方の壁パネル１のアンダーラップ部１ｂとが該アンダーラップ部１ｂに一体的に形成された水返し11を介在させて該壁パネル１の厚さ方向に重ね合わせて取り付けられるので、壁パネル１同士の縦目地６及び横目地７にシーリング材等を充填することなく風雨の侵入を防止できる乾式施工とすることができ、施工が容易で施工期間が短縮できる。
【００６４】
（他の実施形態）
上記実施形態においては、第四レベル部1c1、第二レベル端部１ｄ、凹部１ｅは、上辺アンダーラップ1b1からそれぞれ段差部1c11、1d1、1e1を有してパネル裏面側に後退するよう形成すると説明した。しかし本発明において段差部1c11、1d1、1e1は必須の構成要素ではなく、図18(a)に示すように、段差部を設けないことでもよい。このように構成すると横目地59から各レベル部1c1、１ｄ、１ｅのくぼみが見えてしまうおそれがあるが、本発明に係る壁パネル１の機能、すなわち通気性能や止水性能を損なうことはない。
【００６５】
また第一レベル端部１ｃの第二レベル端部１ｄと重ならない部分に第二レベル端部１ｄと略面一となる第四レベル部1c1を形成すると説明したが、図18(b)に示すように、第四レベル部1c1を設けないことでもよい。これは、パネル取付金具15によって第二レベル端部１ｄを押圧した場合に、その裏面に重ねられた第一レベル端部１ｃを介して柱４や間柱５に押圧されるため、第四レベル部1c1がなくとも左右両側の壁パネル１を固定することができるためである。ただし第四レベル部1c1を設けた方が、取り付けの際の作業性がよく、また第二レベル端部１ｄ、凹部１ｅとの外観上の統一も得ることができるため好適である。
【００６６】
また図18(c)は、第二レベル端部を有する端部を、パネル基部の側面から突出させて形成した例である。これにより、さらに十分なラップ部分をとることができ、止水性能を向上させることができる。このとき、図に示すように、第四レベル部1c1は、第二レベル端部１ｄの突出長さに準じて幅方向の寸法を短く形成している。
【００６７】
また本実施形態では凹部１ｅを上辺アンダーラップ1b1の横方向の略中央部の１箇所に設けた場合について説明したが、図19(a)に示すように、柱４や間柱５が立設されたピッチに応じて所定位置に所定ピッチで複数の凹部１ｅを形成してもよい。また、図19(b)に示すように、上辺アンダーラップ1b1の全幅に渡って凹部１ｅを形成することでもよい。この場合、面一に形成された第二レベル端部１ｄ、第四レベル部1c1、凹部１ｅは全て同一平面となって区別されない。このように形成してもパネル取付金具15による壁パネル１の係止には影響がなく、また上下段の壁パネル１の相対的な配置を任意とすることができ、外壁面を構成する上での自由度を増すことができる。
【００６８】
【発明の効果】
上記説明した如く、本発明に係る壁パネル及び壁パネル重ね合わせ構造によれば、止水性能が大幅に向上し、乾式施工であっても確実に浸水を防止することができる。このように乾式施工が可能となることにより、シーリング材等を充填するなど壁パネルを後加工する必要がなく、施工工数を削減でき、施工が容易で施工期間を短縮することができる。
【図面の簡単な説明】
【図１】本発明に係る壁パネルの構成を示す斜視説明図である。
【図２】  (a)は図１のＸ−Ｘ方向の断面概略図及び重なり状態を示す図、(b)は図１のＹ−Ｙ方向の断面概略図及び重なり状態を示す図である。
【図３】  (a)は左右に隣接する壁パネル相互を重ね合わせる様子を示す斜視説明図、(b)は左右に隣接する壁パネルのアンダーラップ部相互の重ね合わせ状態を示す部分拡大図である。
【図４】  (a)は上下に隣接する壁パネル相互を重ね合わせる様子を示す斜視説明図、(b)は上下に隣接する壁パネルのパネル上辺のアンダーラップ部の中間部の所定位置に形成された段差部におけるアンダーラップ部相互の重ね合わせ状態を示す部分拡大図、(c)は上下に隣接する壁パネルのパネル上辺のアンダーラップ部の端部に形成された段差部におけるアンダーラップ部相互の重ね合わせ状態を示す部分拡大図である。
【図５】  (a)、(b)は壁パネルのアンダーラップ部に一体的に設けられた水返しの構成を示す断面説明図である。
【図６】  (a)はパネル取付金具により壁パネルを取り付けた様子を示す断面説明図、(b)はパネル取付金具に係合するパネル基部の下面に形成された凹溝の構成を示す部分拡大図である。
【図７】  (a)は段差部に取り付けられるパネル取付金具の構成を示す斜視説明図、(b)は段差部に取り付けられるパネル取付金具の構成を示す断面説明図である。
【図８】  (a)、(b)は段差部に取り付けられるパネル取付金具により壁パネルを下地材に固定する様子を示す斜視説明図である。
【図９】  (a)は段差部位外の部位に取り付けられるパネル取付金具の構成を示す斜視説明図、(b)は段差部位外の部位に取り付けられるパネル取付金具の構成を示す断面説明図である。
【図１０】段差部以外の部位に取り付けられるパネル取付金具により壁パネルを下地材に固定する様子を示す斜視説明図である。
【図１１】本発明に係る壁パネルの重ね合わせ構造を示す斜視説明図である。
【図１２】本発明に係る壁パネルの他の重ね合わせ構造を示す斜視説明図である。
【図１３】本発明に係る壁パネルの重ね合わせ構造により形成された通気層の構成を示す斜視説明図である。
【図１４】壁パネル及び内装材に関する壁パネルの重ね合わせ構造の説明図である。
【図１５】雨水の巡回経路を説明する斜視説明図である。
【図１６】  (a)〜(c)は雨水の巡回経路を説明する部分拡大図、(d)はパネル基部の上面が傾斜面で形成された構成を示す断面説明図である。
【図１７】最下段の壁パネルの下部に設けた排水手段により排水される様子を示す断面説明図である。
【図１８】本発明に係る壁パネルの他の実施形態を説明する図である。
【図１９】本発明に係る壁パネルの他の実施形態を説明する図である。
【図２０】従来例に係る壁パネルを説明する図である。
【図２１】従来例に係る壁パネルを説明する図である。
【図２２】従来例に係る壁パネル及び内装材に関する壁パネルの重ね合わせ構造の説明図である。
【符号の説明】
Ｗ    …後退部分
１    …壁パネル
１′  …最下段のパネル
１ａ  …パネル基部
1a1   …裏面
１ｂ  …アンダーラップ部
1b1   …上辺アンダーラップ
1b2   …右辺アンダーラップ
1b21  …第三レベル端部
1b22  …傾斜部
１ｃ  …第一レベル端部
1c1   …第四レベル部
1c11  …段差部
１ｄ  …第二レベル端部
1d1   …段差部
１ｅ  …凹部
1e1   …段差部
１ｆ  …凹溝
１ｇ  …傾斜面
１ｍ  …溝
１ｐ  …凸部
２    …防水シート
３    …ビス
４    …柱
５    …間柱
６    …縦目地
７    …横目地
10    …開口部
11    …水返し
12    …土台水切り部材
13    …布基礎
14    …基礎梁
15    …パネル取付金具
15ａ  …係止部
15ｂ  …固定片
15ｃ  …水平片
15ｄ  …垂下片
15ｆ  …長穴
16    …緩衝材
51    …壁パネル
51ａ  …裏実
51ｂ  …表実
52    …柱
53    …間柱
54    …防水シート
55    …胴縁
58    …縦目地
59    …横目地
60    …突当部
65    …通気層
66    …繊維系断熱材
67    …横銅縁
68    …内装材
70    …壁パネル
71    …上辺アンダーラップ
72    …側辺アンダーラップ
72ａ  …下側先端部
73    …段差部
74ａ  …段差壁面構成部
74ｂ  …段差壁面構成部
【図１】
0003913073.tif 000002
【図２】
0003913073.tif 000003
【図３】
0003913073.tif 000004
【図４】
0003913073.tif 000005
【図５】
0003913073.tif 000006
【図６】
0003913073.tif 000007
【図７】
0003913073.tif 000008
【図８】
0003913073.tif 000009
【図９】
0003913073.tif 000010
【図１０】
0003913073.tif 000011
【図１１】
0003913073.tif 000012
【図１２】
0003913073.tif 000013
【図１３】
0003913073.tif 000014
【図１４】
0003913073.tif 000015
【図１５】
0003913073.tif 000016
【図１６】
0003913073.tif 000017
【図１７】
0003913073.tif 000018
【図１８】
0003913073.tif 000019
【図１９】
0003913073.tif 000020
【図２０】
0003913073.tif 000021
【図２１】
0003913073.tif 000022
【図２２】
0003913073.tif 000023